(57)【要約】【課題】蓋体の開閉操作を手動及び自動のいずれでも行え、速やかに開閉操作可能とする。【解決手段】携帯電話の本体部と蓋体部をそれぞれ、固定外筺１１と回転外筺１２に固定し、開閉操作によりこれら相互に回転する機構であって、外筐部品内部に押しボタン２２操作する押圧制御機構２、制動機構３、回転機構４、及び往復機構５から構成し、押しボタン操作により押圧制御機構が押されると、それに連動して制動機構がスライドし、これらの相接する面に形成された高低傾斜面を形成した輪状レールが相互に接してその傾斜面に沿って回転すると共に軸方向にスライドし、バネ４２、３３，５２の弾発力を開放して蓋体を展開し、手動折畳み操作によりバネの弾発力を蓄える。【選択図】図１
0003128207.tif 000002
【実用新案登録請求の範囲】
【請求項１】
折畳み式携帯電話機の主体及び蓋体にそれぞれ固定され、折畳み操作の回転軸となる、押圧制御機構、制動機構、回転機構、往復機構から構成される折畳式携帯電話機の押圧折畳み機構において、
該押圧制御機構は、上記制動機構、回転機構、往復機構を挿通する軸桿、軸桿を挿通したスライド溝カムレール台からなり、スライド溝カムレール台の端面に第一輪状カムレールを形成すると共に復帰機構を備えた押圧手段を設け、
該制動機構は、上記軸桿に回転復元力を有して設けられた円制動盤及び該円制動盤と軸方向に作用する戻りバネを介して接する制動部品からなり、両者は上記軸桿に対してその軸方向にスライド可能に挿通されると共に、該円制動盤、制動部品及び戻りバネはそれぞれ上記スライド溝カムレール台内に収容され、かつ該制動部品の他端には第二輪状カムレールを設け、また、該円制動盤は上記押圧手段に対する押圧操作を受けて一定角度回転して該制動部品を前後移動させるようにして、該制動部品のスライド移動により第２輪状カムレールを第一輪状カムレールより突出、後退可能とし、
該回転機構は、上記軸桿に挿通され、上記第一、第二輪状カムレールにそれぞれ相対する第３及び第４輪状カムレールを設けると共に他側に第五輪状カムレールを設け、回転部品を上記スライド溝カムレール台に向けて押圧する圧縮バネを備え、
該往復機構は、上記軸桿に軸方向にスライド可能に嵌合した定位スリーブ、及び該定位スリーブを該回転部品に対して押圧する閉鎖バネを備え、該定位スリーブ外周に楔形凸部を設けて上記第五輪状カムレールと係合して摺動するようにし、
上記押圧機構のスライド溝カムレール台に対する押圧操作により、上記円制動盤を回転操作し、該回転によって制動部品をスライドさせて該制動部品とスライド溝カムレール台の第一、第二輪状カムレールと回転部品の第３、第四輪状カムレールの係合から、第一輪状カムレールを後退させ、第二、第四輪状カムレールの作用により回転部品を圧縮バネの弾発力でスライドさせると共に回転させて、該回転部品に結合した蓋体を展開させ、
それと共にその回転により回転体と制動部品の第三、第一輪状カムレールの相対位置をずらして上記戻りバネにより制動部品をスライド移動させて元の位置に復帰させ、
逆に、蓋体から該回転部品に対する閉鎖動作により、該回転体を回転させて定位スリーブと回転体の第五輪状カムレールの係合により該回転体をスライドさせて圧縮バネ及び閉鎖バネに圧縮力を蓄積させるようにした
ことを特徴とする折畳式携帯電話機の押圧折畳み機構。
【請求項２】
前記折畳式携帯電話機の押圧折畳み機構は、該電話機本体及び蓋体に固定される外筐を備え、該外筺は固定外筐及び回転外筐からなると共に、上記押圧制御機構、制動機構、回転機構及び往復機構は、相互に回転可能にそれぞれ固定外筐及び回転外筐に収容固定されていることを特徴とする請求項１記載の折畳式携帯電話機の押圧折畳み機構。
【請求項３】
前記押圧制御機構の復帰機構を備えた押圧手段は、軸桿の先端に設けられた押しボタンとダイアフラムバネからなり、軸桿の扁平頭と押しボタン間にダイアフラムバネを介挿して、押し込み操作に対する復帰を可能としたことを特徴とする請求項１記載の折畳式携帯電話機の押圧折畳み機構。
【請求項４】
前記押ボタンは、一対の突出した結合耳片を具え、各結合耳片にスリットを設けて、スライド溝カムレール台にこれと対応して設けた一対の突起を嵌入させてスリットの長さ分のボタンの押し込み操作を可能としたことを特徴とする請求項３記載の折畳式携帯電話機の押圧折畳み機構。
【請求項５】
前記スライド溝カムレール台は、外周面に更に一対の係合溝を設け、また固定外筐内壁には、これに対応する一対の位置決め突起部を設けて、両者を係合することにより、スライド溝カムレール台を固定外筐に対して固定したことを特徴とする請求項４記載の折畳式携帯電話機の押圧折畳み機構。
【請求項６】
前記制動機構の軸桿に回転復元力を有して設けられた円制動盤は、軸桿との間に捻りバネを介して、回転復元力を付与したことを特徴とする請求項１記載の折畳式携帯電話機の押圧折畳み機構。
【請求項７】
前記円制動盤は、外周壁に一対のガイド桿を凸設して、上記スライド溝カムレール台に設けた一対のＬ字型スライド溝に嵌入し、
さらに上記押ボタンの結合耳片根元に設けた傾斜ガイドにより該ガイド桿をすべり案内させて、上記押しボタンの押し込み操作により該ガイド桿を上記Ｌ字型スライド溝内で回転させ、制動部品のスライド動作を起動させることを特徴とする請求項４記載の折畳式携帯電話機の押圧折畳み機構。
【請求項８】
前記円制動盤に一対のピンを設けると共にこれに対する制動部品の端面にこれに対応する一対のピン孔を設けて、該ピンのピン孔に対する嵌入により該制動部品のスライド動作をするようにした
ことを特徴とする請求項７記載の折畳式携帯電話機の押圧折畳み機構。
【請求項９】
前記回転機構は、回転部品の外周壁に一対の定位突起を設けて、回転外筐の内壁にこれと対応して設けた一対の凹溝定位部に係合させて両者を回転しないように固定しことを特徴とする請求項２記載の折畳式携帯電話機の押圧折畳み機構。
【請求項１０】
前記制動機構は、戻りバネの圧縮弾力が回転機構の圧縮バネの圧縮弾力より小さいことを特徴とする請求項１記載の折畳式携帯電話機の押圧折畳み機構。
【考案の詳細な説明】
【技術分野】
【０００１】
本考案は、折畳式携帯電話の押圧折畳み機構に関するもので、手動及び自動の二つのモジュール操作機能を具え、折畳式携帯電話の本体部及び蓋体部間に於いて、スピーディに蓋体部を開閉するものである。
【背景技術】
【０００２】
折畳式携帯電話に応用している本体部及び蓋体部の間には、携帯電話の折畳み機構により、使用時に蓋体部を開いて聞き、電話が終わると折り畳む。この回転軸の設計及び操作において、携帯電話の蓋体部開閉に便利なように、良好な自動折畳み機構が設置され、携帯電話を開いて操作しやすくしている。
【０００３】
以下の台湾出願済の「携帯電話自動折畳み機構」の実用新案の特徴は、押圧機構、回転機構及び往復機構から構成される。これらを折畳式携帯電話の本体部及び蓋体部の間に設置することで、使用者は片手で押圧機構を操作し、回転機構を動かし、往復機構を回転滑動させて携帯電話の蓋体部をすばやく開き、通話可能となる。
【特許文献１】台湾  実用新案登録第Ｍ２７３８９９号
【特許文献２】特開２００６−５７８５５号公報
【考案の開示】
【考案が解決しようとする課題】
【０００４】
解決しようとする問題点は、上記の構造は体積が大きいため、現在の「軽薄短小」という携帯電話の要求には制限がある点である。
【課題を解決するための手段】
【０００５】
本考案は、携帯電話の本体部と蓋体部の開閉を制御し、本体部と蓋体部内に一外筐部品を設置する。この折畳み機構は、外筐部品内部に納置する押圧制御機構、押圧制御機構の内部に設置し、押圧制御機構と連接可動する制動機構、押圧制御機構及び制動機構がそれぞれ操作可能な連接する回転機構、そして回転機構の別一端に操作可能な連接する往復機構を含む。使用者が片手で押圧制御機構を操作することにより、制動機構を駆動連接し、回転機構を動かして回転滑動する。そして携帯電話の蓋体部が押圧により、自動的に展開，もしくは往復機構と回転機構の操作により回転滑動して手動で携帯電話の蓋体部を開閉し、使用者が通話することを最も主要な特徴とする。
【考案の効果】
【０００６】
本考案の折畳式携帯電話の押圧折畳み機構は、手動及び自動の二つのモジュール操作機能を具え、折畳式携帯電話の本体部及び蓋体部間に於いて、スピーディに蓋体部を開閉するという利点がある。
【考案を実施するための最良の形態】
【０００７】
本考案の目的は、折畳式携帯電話の押圧折畳み機構を提供することで、使用者が片手操作で携帯電話の蓋体部を自動的に開き、もしくは手動方式で携帯電話の蓋体部開閉して通話するものである。
【０００８】
上述目的を達成するため、本考案は折畳式携帯電話の押圧折畳み機構を提供し、蓋体部と本体部を具えた携帯電話は以下の構成からなる。
【０００９】
押圧制御機構は、軸桿及びスライド溝カムレール台を具え、スライド溝カムレール台の一端に第一輪状カムレールを成形する。
制動機構は、上述の軸桿に嵌合し、且つ軸桿との間に弾性捩れを具えた円制動盤、同じく上述の軸桿に嵌合し、且つ軸桿に対して軸方向に移動する制動部品、及び円制動盤と制動部品の相対端面間に設置する戻りバネを含む。この円制動盤、制動部品及び戻りバネは、各々上述のスライド溝カムレール台内部に納置し、且つ制動部品の別端面に第二輪状カムレールを設置する。
回転機構は、回転部品、及び回転部品の一端面に合わせる圧縮バネを含む。回転部品は、上述の第一輪状カムレールと第二輪状カムレールの一端に対応して各々第三輪状カムレール及び第四輪状カムレールを設置する。前述の各輪状カムレール間は操作が可能な連接とし、回転部品の別一端には第五輪状カムレールを設置する。
往復機構は、上述の軸桿に嵌合し、且つ軸桿に対して軸方向に移動する定位スリーブ、及び定位スリーブの一端面に合わせる閉鎖バネを具える。定位スリーブの一端は、上述の回転部品内に納置し、別一端の外周には楔形凸部を設置する。この楔形凸部は上述第五輪状カムレールとの間を操作が可能な連接にする。
〔実施例１〕
【００１０】
図１から図５に示すものは、本考案の折畳式携帯電話の押圧折畳み機構の折畳み機構であって、蓋体部と本体部を具えた携帯電話機に（図未提示）に於いて、その蓋体部と本体部上に対応して設けられた連通孔に、それぞれ外筐部品１を差し込んで連結する。折畳み機構は、外筐部品１の内部に収容された押圧制御機構２、押圧制御機構２と共に可動連接する制動機構３，制動機構３に連接して自動的に回転軸動作を行う回転機構４、そしてその回転機構４が回転外筐１２を通して携帯電話の蓋体部に固定し、別に回転機構４の一端が可動連接する往復機構５を含み、手動と自動の二つの操作モードに対応して構成され、使用者が携帯電話の蓋体部を速やかに開いて電話を受けることができる。
【００１１】
そのうち、外筐部品１は、固定外筐１１及び回転外筐１２からなる（図１、５参照。）。固定外筐１１の外周壁には二つの相對する平面定位部１１１を設け、また回転外筐１２の周壁には外が凸で内が凹の定位部１２１を形成して、これらの定位部１１１、１２１の凸縁、凹溝状(図未提示)、もしくはその他の構造で、携帯電話の本体部及び蓋体部(図未提示)に対して回転しない構造として各々結合する。また、固定外筐１１の内側壁面には少なくとも一つの位置決め突起部１１２を設けて、押圧制御機構２のスライド溝カムレール台２４に対応する外周面に設けた係合溝２４０と掛合する。
【００１２】
上記の押圧制御機構２は、軸桿２１、押ボタン２２、ダイアフラムバネ２３、スライド溝カムレール台２４からなる。
軸桿２１は、制動機構3、回転機構４及び往復機構５を挿通する。軸桿２１の端部は正多辺形の扁平頭２１２を具え、その扁平頭２１２上には孔２１１が貫設される。この軸桿２１一端に形成した扁平頭２１２を押ボタン２２の内部に嵌合することにより軸桿２１の径方向の回転を防止する。更に、軸桿２１中間部位には二段階に径を縮小して平面カットした箇所を設けて、それぞれ制動部品３４及び定位スリーブ５１に差し込まれることによって、制動部品３４と定位スリーブ５１が軸方向にのみ摺動するようにする。
ダイアフラムバネ２３は、押しボタンの押圧操作復帰作用を具える。
この押ボタン２２一端は、二個の結合耳片２２１を延長突出させ、その基部側面に傾斜ガイド縁２２２が形成し、また結合耳片２２１には二つのスリット２２３を形成する。
スライド溝カムレール台２４には係合突起２４１が設けられ、押ボタン２２のスリット２２３と係合する。このスリット２２３の長さは突起２４１の長さより長いため、押ボタン２２とスライド溝カムレール台２４はその長さ分相互に移動する。
スライド溝カムレール台２４の円制動盤３２に相対する側には一対のＬ字型スライド溝２４２が設けられ、他端面には第一輪状カムレール２４３が設けられる。この第一輪状カムレール高低部と、これに相対して接する回転部品４１の第三輪状カムレールの高低は、図２に示すとおりである。上記の押圧制御機構２は、固定外筐１１内部に収容され、組立後、その一端の開口１１３から突出した押ボタン２２で押圧操作する。
【００１３】
制動機構３は、上記の押圧制御機構２によって制動機構３と回転機構４をカム動作を介して回転駆動させることにより、押しボタン操作による展開動作、手動による蓋体閉鎖の回転動作を行う。
この制動機構３は、トーションバネ３１、円制動盤３２、戻りバネ３３、制動部品３４からなる。
これらのうち、トーションバネ３１の一端は、軸桿２１の孔２１１に嵌合固定し、他端は円制動盤３２の定位孔３２３に係合固定される。
円制動盤３２の外周壁には、二本のガイド桿３２１を突出形成し、上記の押ボタン２２の傾斜ガイド縁２２２上に押圧されてその傾斜面に沿ってガイドされて摺動し、上記のスライド溝カムレール台２４の二つのＬ字型スライド溝２４２内で回転動作を行う。
戻りバネ３３を介して円制動盤３２一端に制動部品３４を配置する。
また、円制動盤３２の一端面には二つのピン３２２を設け、一方、制動部品３４一端面上にはこれに対応する二つのピン孔３４１が設けられて相互に嵌合し、その二つのピン３２２は常態時、弾力で制動部品３４の端面上に押圧され、円制動盤３２の回転動作により嵌入する。
制動部品３４の他側には第二輪状カムレール３４２を設ける。上述の制動機構３は、押圧制御機構２のスライド溝カムレール台２４中空内部に嵌合して作動する。
【００１４】
回転機構４は、押圧制御機構２及び制動機構３に相対してカムレールにより相互に回転と軸方向のスライド動作を行なう。この回転機構４は、回転部品４１及び圧縮バネ４２から構成される。その回転部品４１の外周部には定位突起４１１を設け、その定位突起４１１は二つの相互に対応する凸縁とし、それぞれを上述の回転外筐１２の定位部１２１内壁凹溝に嵌合することにより、連動して回転する関係を形成する。また、回転部品４１の前記スライド溝カムレール台２４及び制動部品３４に相対する端面に第三輪状カムレール４１２、及びその第三輪状カムレール４１２内部の第四輪状カムレール４１３を設ける。その第三輪状カムレール４１２及び第四輪状カムレール４１３にはその周に沿ってそれぞれ高低が形成され、相互に交錯する位置に配置されて、押しボタンの押圧動作によって制動機構３と離合動作を行い、それぞれが上述の第一及び第二輪状カムレール２４３、３４２と相互に伝動して回転動作を行う(図２参照)。回転部品４１の他側には第五輪状カムレール４１４を設ける。上記の第三、第四及び第五輪状カムレール４１２、４１３、４１４間のレール高低の配置関係は，図３に示すとおりである。
【００１５】
往復機構５は、上述の回転機構４の後端に配置される。この往復機構５は、回転部品４１後端と可動接触する定位スリーブ５１、及び定位スリーブ５１後端と回転外筐１２の内壁間で弾性接触する閉鎖バネ５２から構成される。この定位スリーブ５１の外周部には二つの楔形凸部５１１が回転部品４１の第五輪状カムレール４１４に接し、携帯電話機の蓋体を閉じる操作に伴う回転によって第五輪状カムレール４１４に沿って軸方向に移動して閉鎖バネ５２を圧縮する。
【００１６】
図６から図９に示すのは、本考案実施例を携帯電話機に応用した押圧自動展開動作作動状態の断面図である。使用時、外筐部品１の固定外筐１１及び回転外筐１２は、その定位部１１１、１２１によって携帯電話機の蓋体部及び本体部に固定結合する。押圧制御機構２の押ボタン２２は、通常、固定外筐１１の一端開口から突出している。携帯電話機の蓋体を閉じた状態の時、制動部品３４の第二輪状カムレール３４２のレール最上部は、スライド溝カムレール台２４の第一輪状カムレール２４３のレール最上部外側へ突出する。その突出の長さは、ピン３２２もしくは定位スリーブ５１の二つの楔形凸部５１１の長さに相当する。またこの位置に於いて、第二輪状カムレール３４２のレール最上部が回転部品４１内部の第四輪状カムレール４１３の最上部と相互に押圧する。
図４のレール高低差に示すように、使用者が押圧制御機構２の押ボタン２２を押すと、押圧動作によって結合耳片２２１を軸方向に移動させ、傾斜ガイド縁２２２が制動機構３の円制動盤３２の二つのガイド桿３２１を押し、円制動盤３２は上述スライド溝カムレール台２４の二つのＬ字型スライド溝２４２内で回転動作を行う。その時、同時にトーションバネ３１の捻り弾発力に抗して円制動盤３２は回転して二つのピン３２２を制動部品３４の二つのピン孔３４１内に嵌入する。
図６、図７に示すように組み立てた状態で、回転外筐端面で回転機構４の圧縮バネ４２を押圧圧縮して制動部品３４をスライド溝カムレール台２４中空内部に収容しており、回転機構４の圧縮バネ４２の弾発力は制動機構３の戻りバネ３３より大きいため、制動部品３４のピン孔に円制動板３２のピン３２２嵌入すると第二輪状カムレール３４２のレール最上部が回転部品４１内部の第四輪状カムレール４１３の最上部と相互に押圧した状態から該ピンの嵌入深さ分だけ制動部品３４が押し込まれる。
次いで、第三輪状カムレール４１２最上部斜面とスライド溝カムレール台２４の第一輪状カムレール２４３最上部斜面とが接して回転部品４１をその傾斜に沿って回転しつつ両カムレールの山と谷が合致するまでスライドし、圧縮バネの弾発力を緩和する。
この回転部品４１回転動作により、回転外筺１２を回転させて両カムレールの最上部と最下部が相互に接する状態になった時、自動的に携帯電話機の蓋体部を開く動作が完了する。
このとき、回転部品４１の回転により、第四輪状カムレール４１３と制動部品３４の第二輪状カムレール３４２の接する位置がずれるため、戻りバネ３３の弾発力により再度制動部品３４が押し戻されて元の位置に復帰し、同時にピン３２２も二つのピン孔３４１から抜き出されて、トーションバネ３１の作用により円制動盤３２は回転して元の角度に復帰する。
図８、図９に示すとおり、使用者が片手で、押圧制御機構２を押圧すると可動端(蓋体部)を自動的に開き、使用者が電話を受けることができる。
【００１７】
図１０、１１及び図１２に示すとおり、携帯電話機の蓋体部を手動で本体部に折り畳む時、本体部と蓋体部にそれぞれ固定された固定外筺１１と回転外筺体との間で相互回転し、先ず回転部品４１の第三輪状カムレール４１２とスライド溝カムレール台２４の第一輪状カムレール２４３のレール最上部とレール最下部が接触する状態となる。この回転操作によって、回転外筐１２の内側定位部１２１で嵌合された回転部品４１が回転し、第三輪状カムレール４１２最上部は第一輪状カムレール２４３の傾斜に沿って回転しつつ同時に図の軸方向右方に向かって圧縮バネ４２を押す。両者が相互に一定の角度まで回転した時、回転部品４１の第四輪状カムレール４１３が突出した状態の制動部品３４の第二輪状カムレール３４２まで接触し、続けて後者のレール傾斜に沿って、回転しつつ軸方向右向きにスライドする。この時、回転部品４１の第五輪状カムレール４１４の谷が往復機構５の定位スリーブ５１の二つの楔形凸部５１１最上端まで到達する。この状態を図１０に示す。携帯電話の蓋体部を閉じる時，この時の力は第五輪状カムレール４１４の山が二つの楔形凸部５１１を軸方向右向きに閉鎖バネ５２を圧縮しなければならない。図１１に示すとおり、二つの楔形凸部５１１の最上部を越した位置で携帯電話の蓋体部が閉まり、この時二つの楔形凸部５１１の最上部は回転部品４１の第五輪状カムレール４１４谷底に掛合され、圧縮バネ４２は最大圧縮状態を形成し、回転部品４１の第四輪状カムレール４１３レール最上部を制動部品３４の第二輪状カムレール３４２レール最上部でしっかりと押さえる。この時、蓋体部はしっかりと本体部上で閉まり、次の展開操作の待機状態となる。(例として図５参照)。
【００１８】
図１１、１３に示すのは、本考案を携帯電話機に応用した手動展開操作の作動状態断面図である。使用者が手動で操作する場合、携帯電話の蓋体部と本体部を開く時、展開作用力が小さく、楔形凸部５１１が回転部品４１の第五輪状カムレール４１４の最上部を越えられない時，自動的に閉じた状態に戻る。反対に手動で携帯電話を開ける作用力が十分な時には、回転部品４１を回転させ、定位スリーブ５１の二つの楔形凸部５１１が回転部品４１の第五輪状カムレール４１４の最上部及び最下部間で移動し、それが定位スリーブ５１を後ろ向きに押して閉鎖バネ５２を圧縮し、蓋体部と本体部が設定角度に開いた時（30〜70度が良い）、定位スリーブ５１の二つの楔形凸部５１１の最上部は、上述回転部品４１の第五輪状カムレール４１４の最上部から離れる。その状態を図１１に示す。この時、回転部品４１の第四輪状カムレール４１３も制動部品３４の第二輪状カムレール３４２と接触せずにスムーズに下に滑り降りる(図４参照)。この時，圧縮バネ４２は回転部品４１の押圧から解除され、回転部品４１は左向きの径方向に回転し、一定角度に回転した時、回転部品４１の第三輪状カムレール４１２のレール最上部はスライド溝カムレール台２４の第一輪状カムレール２４３と相互に接し、そのレール傾斜に沿って滑動回転し、レール最上部で止まる。その時，携帯電話機の蓋体部は展開して開いた状態となる。その状態を図１３に示す。
【００１９】
使用者が手動で蓋体部と本体部を閉じる操作は、上述図１０、１１及び１２で示すのと同じである。このようにして繰り返し、手動操作で携帯電話機を開閉して通話する。
〔第二実施例〕
【００２０】
図１４に示すとおり、本考案の外筐部品１の固定外筐１１と押圧制御機構２のスライド溝カムレール台２４は、上記の実施例の分離タイプの外に一体成型でよい。その場合、固定外筐１１の内端面にスライド溝カムレール台２４及び第一輪状カムレール２４３を形成し、更に固定外筐１１の内部にＬ字型スライド溝２４２を形成するため、金型の設置費用及び部品が少なくなり、管理が易しい。
【００２１】
以上は本考案の一実施例にすぎず、本考案の実施範囲を限定するものではない。本考案の申請範囲に依る変更と応用はすべて本考案の範圍とする。
【図面の簡単な説明】
【００２２】
【図１】本考案の立体分解図である。
【図２】本考案のスライド溝カムレール台の第一輪状カムレールの最上部と    最下部及び回転関係展開図である。
【図３】本考案の回転部品の各輪状カムレール最上部及び最下部の関係展開    図である。
【図４】本考案の制動部品と回転部品第四輪状カムレールの関係展開図であ    る。
【図５】本考案の第二と第四輪状カムレールの最上点と最上面が相互に押し    、また円制動盤のピンが制動部品底部を押さえる組立断面図である。
【図６】本考案を押圧動作した後、円制動盤が一定角度に回転し、円制動盤    のピンを制動部品底部のピン孔に合わせる組立断面図である。
【図７】本考案の円制動盤のピンが制動部品底部のピン孔から外れ、同時に    回転部品が軸方向に移動して定位スリーブの楔形凸部から外れる掛合組合断    面図である。
【図８】本考案の携帯電話の蓋体部を開く行程中、制動部品が第四輪状カム    レールを離脱して圧縮した時、同時に戻りバネがピンを出して元の位置に戻    し、また円制動盤がトーションバネによって、元の位置に戻る組立断面図で    ある。
【図９】本考案の圧縮バネが伸張し、回転部品の第三輪状カムレールが時計    回りに回転して第一輪状カムレールの谷底を押さえる状態図である。
【図１０】本考案の自動展開後の手動に依る折畳第一動作状態指示図である    。
【図１１】本考案の自動展開後の手動に依る折畳第二動作状態指示図である    。
【図１２】本考案の図１０，１１の動作する各輪状凸のレール最上部及び最    下部の関係指示図である。
【図１３】本考案の手動に依る展開完成の作動状態指示図である。
【図１４】本考案の別の一実施例の立体分解図である。
【符号の説明】
【００２３】
１        外筐部品
１１        固定外筐
１１１        定位部
１１２        位置決め突起部
１１３        開口
１２        回転外筐
１２１        定位部
２        押圧制御機構
２１        軸桿
２１１        孔
２１２        扁平頭
２２        押ボタン
２２１        結合耳片
２２２        傾斜ガイド縁
２２３        スリット
２３        ダイアフラムバネ
２４        スライド溝カムレール台
２４０        係合溝
２４１        突起
２４２        Ｌ字型スライド溝
２４３        第一輪状カムレール
３        制動機構
３１        トーションバネ
３２        円制動盤
３２１        ガイド桿
３２２        ピン
３２３        定位孔
３３        戻りバネ
３４        制動部品
３４１        ピン孔
３４２        第二輪状カムレール
４        回転機構
４１        回転部品
４１１        定位突起
４１２        第三輪状カムレール
４１３        第四輪状カムレール
４１４        第五輪状カムレール
４２        圧縮バネ
５        往復機構
５１        定位スリーブ
５１１        楔形凸部
５２        閉鎖バネ
【図１】
0003128207.tif 000003
【図２】
0003128207.tif 000004
【図３】
0003128207.tif 000005
【図４】
0003128207.tif 000006
【図５】
0003128207.tif 000007
【図６】
0003128207.tif 000008
【図７】
0003128207.tif 000009
【図８】
0003128207.tif 000010
【図９】
0003128207.tif 000011
【図１０】
0003128207.tif 000012
【図１１】
0003128207.tif 000013
【図１２】
0003128207.tif 000014
【図１３】
0003128207.tif 000015
【図１４】
0003128207.tif 000016